(57)【要約】ほぼ円筒形端部部品を伴う棒状の器具で、ゴム弾性材料製の壁あるいは外皮が該端部部品の外面を形成すると同時に該端部部品上の運動発生用の駆動装置が伴われるもの。【選択図】図１
2007526047.tif 000002
【特許請求の範囲】
【請求項１】
端部部品の外面が形成されるゴム弾性材料から作られる壁あるいは外皮（７）を伴うと同時に、該端部部品上に動きを発生させるための駆動装置が使用されるほぼ円筒の端部部品を伴う棒状マッサージ器具で、
該駆動装置により該外皮（７）がもたれかかる複数の支承及び支持面（４．２、８．１）が形成されること、ならびに該駆動装置は放射方向内側および外側の端部部品の長手方向軸に関する外皮（７）の振動変形を目的に設計されて、該変形が好ましくは位相遅延されて端部部品の長手軸方向に沿っておよび／または端部部品の周囲方向に起こることを特徴とするマッサージ器具。
【請求項２】
外皮（７）に関する支承あるいは支持面が放射方向の１行程運動について少なくとも１個の駆動要素（６）によって駆動可能である複数の支持要素によって形成されることを特徴とする請求項１に記載のマッサージ器具。
【請求項３】
支持要素があご部（４）であることを特徴とする請求項２に記載のマッサージ器具。
【請求項４】
数個の支持要素（４）がそれぞれ端部部品の長手延長に垂直な共通平面に設置されるとともに、これら複数の群が端部部品の長手方向に連続して設置されることを特徴とする請求項２あるいは請求項３に記載のマッサージ器具。
【請求項５】
支持面および／または前記支持面を形成する支持要素（４）の移動に関して、少なくとも１個の偏心断面（６．１）を形成する少なくとも１本の軸棒（６）が設置され、該軸棒が支持要素（４）と一緒に作動すると同時に駆動装置によって駆動可能であることを特徴とする請求項１から請求項４までのいずれかの請求項に記載のマッサージ器具。
【請求項６】
少なくとも１個の偏心断面が少なくとも１本の軸棒（６）部分の長さを少なくとも越える軸棒（６）の軸に平行あるいはほぼ平行に延びることを特徴とする請求項５に記載のマッサージ器具。
【請求項７】
少なくとも１個の偏心断面が少なくとも１本の軸棒（６）部分の長さを少なくとも越えて軸棒（６）の軸に斜めに伸びることを特徴とする請求項５に記載のマッサージ器具。
【請求項８】
少なくとも１個の偏心断面が少なくとも１本の軸棒（６）の軸に沿って捻られていて、軸棒の軸上のらせん上に伸びることを特徴とする請求項５に記載のマッサージ器具。
【請求項９】
少なくとも１個の偏心断面が少なくとも１本の軸棒（６）の１縁によって形成されることを特徴とする請求項５から請求項８までのいずれかの請求項に記載のマッサージ器具。
【請求項１０】
少なくとも１本の軸棒（６）が少なくとも支持要素（４）と一緒に作動するその軸棒断面（６．１）上に、例えば、多角形あるいはほぼ多角形の横断面、例えば三角形あるいは長方形の非円形横断面を有することによって偏心断面が形成されることを特徴とする請求項５から請求項９までのいずれかの請求項に記載のマッサージ器具。
【請求項１１】
支持要素（４）と一緒に作動する単一の軸棒（６）を特徴とする請求項１から請求項１０までのいずれかの請求項に記載のマッサージ器具。
【請求項１２】
支持要素（４）と一緒に作動する複数の軸棒（６）を特徴とする請求項１から請求項１１までのいずれかの請求項に記載のマッサージ器具。
【請求項１３】
支持要素（４）と一緒に作動する少なくとも１本の軸棒（６）の偏心断面（６．１）が複数の偏心した面および領域を特色とすることを特徴とする請求項１から請求項１２までのいずれかの請求項に記載のマッサージ器具。
【請求項１４】
偏心領域あるいは面の数が要素の各群の支持要素（４）の数に等しいことを特徴とする請求項１３に記載のマッサージ器具。
【請求項１５】
偏心領域あるいは面の数が要素の各群の支持要素（４）の数と異なることを特徴とする請求項１３に記載のマッサージ器具。
【請求項１６】
外皮（７）に関する内部支承および支持面が、端部部品の長手軸（ＧＬ）の方向でこれらの長手延長の方向に向けられた軸棒（８）の偏心断面（８．１）によって形成されると同時に、駆動装置によって駆動可能であることを特徴とする請求項１から請求項１５までのいずれかの請求項に記載のマッサージ器具。
【請求項１７】
それぞれの軸棒（８）の少なくとも１個の偏心断面が、軸棒（８）部分の長さを少なくとも越える軸棒の軸に平行にあるいはほぼ平行に延びることを特徴とする請求項１６に記載のマッサージ器具。
【請求項１８】
それぞれの軸棒（８）の少なくとも１個の偏心断面が軸棒（８）部分の長さを少なくとも越える軸棒の軸に斜めに延びることを特徴とする請求項１６に記載のマッサージ器具。
【請求項１９】
それぞれの軸棒（８）の少なくとも１個の偏心断面が、軸棒の軸に沿う長さの少なくとも１部分上で捻れていて、軸棒の軸にあるらせん上に伸びることを特徴とする請求項１６に記載のマッサージ器具。
【請求項２０】
少なくとも１個の偏心断面が各軸棒（８）の１縁によって形成されることを特徴とする請求項１６から請求項１９までのいずれかの請求項に記載のマッサージ器具。
【請求項２１】
偏心断面が、各軸棒（８）が、例えば、多角形あるいはほぼ多角形の横断面、例えば三角形、長方形の非円形の横断面を有することによって形成されることを特徴とする請求項１６から請求項２０までのいずれかの請求項に記載のマッサージ器具。
【請求項２２】
軸棒の軸上で分岐する少なくとも２個の偏心領域あるいは面が偏心断面上に形成されることを特徴とする請求項１から請求項２１までのいずれかの請求項に記載のマッサージ器具。
【請求項２３】
少なくとも１個の支持要素（９）がそれぞれ１個の偏心断面（８．１）を特色とする数本の軸棒（８）に関して設置されることを特徴とする請求項１から請求項２２までのいずれかの請求項に記載のマッサージ器具。
【発明の詳細な説明】
【技術分野】
【０００１】
本発明は請求項１の前文によるマッサージ器具に関する。
【背景技術】
【０００２】
このような身体腔部、たとえば膣部への挿入向けマッサージ器具は既知の技術（例えば欧州特許EP 0 472 965 A1）である。
【特許文献１】欧州特許EP 0 472 965 A1
【発明の開示】
【０００３】
本発明の目的は革新的な効果を伴ったマッサージ器具を提案することにある。この目的は請求項１によるマッサージ器具を利用して達成される。
【発明を実施するための最良の形態】
【０００４】
さらなる実施例は従属する請求項の主たる対象となっている。本発明は図面を参照した典型的な実施例に基づき下記に詳細に説明される。
【０００５】
図１に全体が示されるマッサージ器具１は、支持材あるいは描写された実施例では板状基部２から構成されて、この基部上に複数の誘導兼支持要素３が締結され、前記要素は器具１の長手方向に延びるとともに、基部２の片側に突き出ると同時に描写された実施例では棒状となっている。相互にある間隔で設けられるとともに器具１の長手方向に向けられる該誘導兼支持要素３により、描写された実施例ではそれぞれ２個の誘導兼支持要素を伴う３個の群が形成される。これらの群は器具１の長手軸上で相互に１２０度だけ相互にずらされて、各群の２個の誘導兼支持要素３の軸が長手軸ＧＬから同じ放射方向距離にあると同時に相互にある一定距離が置かれる。
【０００６】
複数のあご部あるいは板４が誘導兼支持要素３に設置される。描画された実施例のあご部４は平らかあるいは段のついたディスク形状を有して、これらの３個のあご部によりあご部からなるディスク形状の１個が形成される。あご部４あるいは前記あご部によって形成されるとともにマッサージ器具の長手軸に垂直な面側を向いた一連のあご部が、１個のあご部の山５が形成される器具１の長手方向に山のように連続して設けられる。各あご部４は１個の支持要素群の２個の誘導兼支持要素３上の矩形孔４．１によって軸ＧＬに関して移動可能であるように誘導される。あご部の外面４．２は描画された実施例では部分円筒面の形状で設計されている。３個のあご部４によって形成される層の外径が軸ＧＬに沿って変化し、描画された実施例では、これらの層の外径は基部２から遠ざかるにつれ端部で減少している。
【０００７】
軸ＧＬと同じ軸上の基部２とあご部４間で、１本の軸棒６が回転できるように支承上に取付けられ、前記軸棒はあご部４間に位置するその軸棒断面６．１上で非円形の横断面、すなわち、描画された実施例では三角形の横断面を有しており、この断面が軸ＧＬに沿って捻られる結果、前記横断面の端部あるいは隅部が軸棒６の軸上のらせんライン上にのる。あご部４は軸内側支承面４．３と一緒に軸棒断面６．１にもたれかかる。基部２およびあご部４、あるいは、あご層によって形成されるあご部あるいは板の配置５は、ゴム弾性材料製の外皮７で被覆され、その上をさらに軸ＧＬからの距離が少しだけ引っ込められた位置であご部４にプリテンションがかけられる。
【０００８】
軸棒７は描画されていない駆動装置によって駆動され、これが利用されて軸棒断面６．１を経由してこれらの支承面４．３に関して前記軸棒断面と共に作動するあご部４の放射方向の動きが、軸ＧＬの放射方向に行われて、あご部４が、器具１の長手延長に沿う軸棒断面６．１の横断面の隅角領域のらせん経路をたどって、任意の時点で外側の放射方向に変化して動く結果、外皮７の外面上で波状の運動が生ずる。これにより、あご部４の長手方向ＧＬの行程運動の相が変化する、つまり、任意の時点であご部４のいくつかがその引っ込んだ内側位置にあり、図１に描写されているように、いくつかのあご部４が放射方向に一番離れた外側位置にあるとともに、いくつかのあご部４が中間位置にあることになる。
【０００９】
図４から図６には、また別の可能な実施例として、放射状に動くあご部の代わりに基部２に回転できるように取付けられるとともに、軸棒断面８．１とともに基部２の片側を越えて伸びる数本の軸棒８が設けられるという点で器具１とは本質的に異なる器具１aが示される。器具１aの長手軸ＧＬ方向の軸に向いた軸棒８が前記長手軸上に規則正しい角度間隔で分布する。さらに、軸ＧＬの方向の基部２からある距離のところに、その軸ＧＬに垂直な面側に方向が向けられると同時に、描写された実施例では棒状であるとともに軸ＧＬと同じ軸上に方向が向けられる支持要素１０上に保持されかつ基部２の片側にも保持される支持ディスク９が設けられる。支持ディスク９により外周の方に開いたその周囲に部分的な円形の凹みあるいは切り抜き９．１が形成されるとともに、そこに、軸棒８がその軸棒断面８．１とともに部分的に保持されると同時にこれにより軸棒断面８．１に関する支持材が形成される。
【００１０】
軸棒断面８．１はまた非円形の横断面、すなわち、描画された実施例では楕円横断面を有し、これが軸棒８の長手方向に捻られる結果、この横断面の端部、すなわち、２個の最外側でかつ最大幅をおいて配置される楕円横断面領域が各軸棒８の軸上のらせんライン上にそれぞれ設けられる。
【００１１】
この描画された実施例では、全部で６本の軸棒８が軸ＧＬ上で分岐して設けられる。軸棒８．１、基部２ならびに支持要素あるいはディスク９によって形成される、ゴム弾性材料製である外皮７の器具は外側に向けて閉じられる。さらに、軸棒８が回転する時に、最大横断面軸の場合の軸棒断面８．１の横断面が軸ＧＬ廻りの想像上の円のラインにもはや接しない地点で、外皮７もまた弾性的に外側に押されるように設計される。外皮７の最小変形は、その後、その最大横断面軸の場合の各軸棒断面８．１の横断面が軸ＧＬ（図５）廻りの想像上の円弧の接線方向に向けられる地点に存在するとともに、外皮７の最大変形は最大横断面軸が軸ＧＬ（図６）の放射方向に向けられる地点に存在する。軸棒８は描画されていないありふれた通常の駆動装置によって駆動可能である。
【００１２】
基部２、誘導兼支持要素３、あご部４、軸棒６および８、支持要素９および支持要素１０にはプラスチックが特に適切な材料である。
【００１３】
すべての実施例は器具の外面を形成するゴム弾性の外皮７内部に、作動機構の部分である前記外皮に関する支持要素が設けられ、これを利用する放射方向の行程運動が、外皮の外面上で、つまり器具の長手方向および／または周囲方向に変化する行程運動に関する相を伴って行われるという点で共通している。
【００１４】
本発明は典型的な実施例に基づいて上記で説明された。多くの変更および変型例が、本発明が拠り所とする発明の基本アイデアにのっとって可能であることは言うまでもない。例えば、支持要素９は無くすことも可能である。さらに図１から図３の実施例では軸棒６の偏心断面の数は各群や面の支持要素の数に等しいものと想定された。偏心断面の数は各群や面の支持要素の数よりも多い実施例もまた考えられる。
【図面の簡単な説明】
【００１５】
【図１】本発明によるマッサージ器具の部分的に長手方向断面である側面図である。
【図２】図１のA−A線に符合する断面図である。
【図３】図１のB−B線に符合する断面図である。
【図４】本発明の追加の可能な実施例の図１同様の描写図である。
【図５】図４のA−A線に符合する断面図である。
【図６】図４のB−B線に符合する断面図である。
【符号の説明】
【００１６】
１，１ａ  マッサージ器具
２        基部
３        誘導兼支持要素
４        あご部
４．１    矩形孔
４．２    周囲面
４．３    支承面
５        あご配列
６        軸棒
６．１    軸棒断面
７        外皮
８        軸棒
８．１    軸棒断面
９        支持材あるいは支持板
９．１    切り抜きあるいは凹み
１０      支持要素
【図１】
2007526047.tif 000003
【図２】
2007526047.tif 000004
【図３】
2007526047.tif 000005
【図４】
2007526047.tif 000006
【図５】
2007526047.tif 000007
【図６】
2007526047.tif 000008
【国際調査報告】
2007526047.tif 000009
2007526047.tif 000010
2007526047.tif 000011
2007526047.tif 000012